(57)【要約】【課題】異なる種類の障子であっても共通の戸車を用いることが可能な建具を提供する。【解決手段】見付け方向にスライド可能な障子と、前記障子を案内するレールを備えた枠体と、を有する建具であって、前記障子は、前記レール上を走行し、当該障子と異なる種類の異種障子にも使用可能な戸車と、前記戸車を保持する保持部及び前記障子と係合する係合部を備えた取付部材と、を有する。【選択図】図５
2010053657.tif 000002
【特許請求の範囲】
【請求項１】
見付け方向にスライド可能な障子と、
前記障子を案内するレールを備えた枠体と、を有する建具であって、
前記障子は、
前記レール上を走行し、当該障子と異なる種類の異種障子にも使用可能な戸車と、
前記戸車を保持する保持部及び前記障子の下部に係合する係合部を備えた取付部材と、を有することを特徴とする建具。
【請求項２】
請求項１に記載の建具であって、
前記保持部は、前記戸車が落下することを防止する落下防止部と、
前記戸車が見込み方向に外れることを防止する外れ防止部と、
を有することを特徴とする建具。
【請求項３】
請求項１または請求項２に記載の建具であって、
前記戸車は、当該戸車が取り付けられた前記障子の上下方向の位置を、操作により調整可能な調整部を有し、
前記取付部材は、前記戸車に取り付けられた状態にて前記調整部を操作することを可能とする操作用凹部を有することを特徴とする建具。
【請求項４】
請求項２または請求項３に記載の建具であって、
前記取付部材は、前記戸車上部を覆う上面部と、前記上面部の見付け方向における両端部に前記戸車を挟むように垂設された一対の垂設壁部とを有し、
前記落下防止部は、前記一対の垂設壁部にそれぞれ対向する側に突出させて設けられており、一方の前記垂設壁部には見込み方向における一方側に、他方の前記垂設壁部には見込み方向における他方側に配置されていることを特徴とする建具。
【請求項５】
請求項４に記載の建具であって、
前記係合部は、前記一対の垂設壁部にそれぞれ対向する側と反対の方向に突出させて設けられており、見込み方向における中央部に設けられていることを特徴とする建具。
【発明の詳細な説明】
【技術分野】
【０００１】
本発明は、見付け方向にスライド可能な障子と、障子を案内するレールを備えた枠体と、を有する建具に関する。
【背景技術】
【０００２】
従来、見付け方向にスライド可能な障子と、障子を案内するレールを備えた枠体と、を有する建具としては、障子が備える戸車の車輪が枠体を構成する下枠のレールに接して、障子をレールに沿ってスムーズに面内方向に移動自在とした建具が知られている（例えば、特許文献１参照）
【特許文献１】特許第３７４０６６１号明細書
【発明の開示】
【発明が解決しようとする課題】
【０００３】
建具は、取り付ける場所やサイズなどの違いにより、障子や障子を構成する框の形状、及び、戸車の構造や形状が異なる場合がある。このため、種類の異なる障子には、各々異なる種類の戸車が取り付けられる。このため、数多くの種類の戸車を管理しなければならず、管理が煩雑である。また、建具の種類毎に異なる種類の戸車を用いると、各々の種類毎に使用する戸車の総数が少なくなるため、共通の戸車を使用する場合と比較して、戸車の単価が高くなってしまうという課題がある。
【０００４】
本発明は、かかる課題に鑑みてなされたものであり、その目的とするところは、異なる種類の障子であっても共通の戸車を用いることが可能な建具を提供することにある。
【課題を解決するための手段】
【０００５】
かかる目的を達成するために本発明の建具は、見付け方向にスライド可能な障子と、前記障子を案内するレールを備えた枠体と、を有する建具であって、前記障子は、前記レール上を走行し、当該障子と異なる種類の異種障子にも使用可能な戸車と、前記戸車を保持する保持部及び前記障子の下部に係合する係合部を備えた取付部材と、を有することを特徴とする建具である。  
このような建具によれば、戸車の取付部材が、障子の下部に係合する係合部と、戸車を保持する保持部とを有しているので、戸車を取付部材を介して障子に容易に取り付けることが可能である。特に、戸車は異種障子にも使用可能なので、異種障子にそれぞれ対応させた多様な取付部材を介して取り付けることにより各種障子に共通の戸車を取り付けることが可能である。すなわち、異なる種類の障子であっても共通の戸車を用いることが可能である。
【０００６】
かかる建具であって、前記保持部は、前記戸車が落下することを防止する落下防止部と、前記戸車が見込み方向に外れることを防止する外れ防止部と、を有することが望ましい。  
このような建具によれば、保持部が落下防止部と外れ防止部とを有しているので、戸車が取付部材から落下すること、及び、取付部材から外れることを防止することが可能である。
【０００７】
かかる建具であって、前記戸車は、当該戸車が取り付けられた前記障子の上下方向の位置を、操作により調整可能な調整部を有し、前記取付部材は、前記戸車に取り付けられた状態にて前記調整部を操作することを可能とする操作用凹部を有することが望ましい。  
このような建具によれば、戸車が取付部材に取り付けられた後であっても、調整部を操作して調整することが可能である。
【０００８】
かかる建具であって、前記取付部材は、前記戸車上部を覆う上面部と、前記上面部の見付け方向における両端部に前記戸車を挟むように垂設された一対の垂設壁部とを有し、前記落下防止部は、前記一対の垂設壁部にそれぞれ対向する側に突出させて設けられており、一方の前記垂設壁部には見込み方向における一方側に、他方の前記垂設壁部には見込み方向における他方側に配置されていることが望ましい。  
このような建具によれば、取付部材は、前記戸車を挟むように垂設された一方の垂設壁部の見込み方向における一方側と、他方の垂設壁部の見込み方向における他方側とに設けられている一対の垂設壁部にそれぞれ落下防止部が設けられているので、一方の垂設壁部と他方の垂設壁部とにおいて見込み方向における異なる側にて戸車を保持することが可能である。このため、見込み方向の中央側にて戸車の車輪と接するレールに落下防止部が当たること無く、確実に戸車を保持することが可能である。
【０００９】
かかる建具であって、前記係合部は、前記一対の垂設壁部にそれぞれ対向する側と反対の方向に突出させて設けられており、見込み方向における中央部に設けられていることが望ましい。  
このような建具によれば、戸車が保持された取付部材を、見込み方向において中央のバランスの良い位置にて係合させて障子に取り付けることが可能である。
【発明の効果】
【００１０】
本発明によれば、異なる種類の障子であっても共通の戸車を用いることが可能な建具を提供することが可能である。
【発明を実施するための最良の形態】
【００１１】
以下、本発明の一実施形態に係る建具について図面を参照して説明する。  
本実施形態では、本発明に係る建具の一例として、図１に示すような、室内外を連通する開口に設けられる枠体５と、枠体５内に固定され開口の一部を閉塞し、面材としてのガラス６が嵌め付けられて移動しない固定障子８と、固定障子８にて閉塞されない領域を閉塞可能であり、枠体５に設けられたレール１０ａ（図３）に沿って見付け方向にスライド可能な移動障子７とを備えた建具１を例に挙げて説明する。
【００１２】
この建具１は、枠体５の見込み方向におけるほぼ中央より室外側の領域に固定障子８が設けられ、ほぼ中央より室内側の領域は移動障子７が移動可能な領域となっている。以下の説明においては、建具１を室内側から見たときに上下となる方向を上下方向、左右となる方向を左右方向または見付け方向、室内外方向である奥行き方向を見込み方向として示す。また、本発明の特徴的な部分は、移動障子７に含まれるため、以下では、主に移動障子７について説明する。
【００１３】
枠体５は、室内外を仕切る壁の開口に設けられ、押し出し成形部材である上枠５ａ、下枠５ｂ、左右の縦枠５ｃ、５ｄが矩形状に枠組みされて構成されている。上枠５ａ、下枠５ｂ、左右の縦枠５ｃ、５ｄは、いずれも同一の断面形状をなす押し出し成形部材であり、４５度に切断された両端部が互いに突き合わされて接合されている。そして、下枠５ｂには、移動障子７を案内するためのレール部材１０（図３）が見付け方向の全域にわたって備えられている。
【００１４】
移動障子７は、面材としてのガラス６と、矩形状に枠組みされた框体１２とを有している。框体１２は、樹脂製の成形部材でなる上框１３、下框１４、左右の縦框１５、１６が、４５度に切断された各々の両端部が互いに突き合わされて接合されている。
【００１５】
移動障子７の下框１４には、見付け方向の両端部側に、移動障子７をレール１０ａ上に支持しつつレール１０ａ上を走行する戸車２０が、取付部材３０を介して設けられている。以下の説明においては、戸車２０及び取付部材３０が移動障子７に取り付けられた状態にて、上下となる方向を上下方向、戸車２０移動する方向を見付け方向、戸車２０が有する車輪２５の軸に沿う方向を見込み方向として説明する。
【００１６】
戸車２０は、図２、図３に示すように、フレーム２１と、車輪２５が回動自在に設けられフレーム２１に相対移動可能に保持された車輪体２６と、車輪２５の上下方向の位置を調整するための調整部としての調整ねじ２７と、を有している。
【００１７】
フレーム２１は、見付け方向におけるほぼ中央より一方側に設けられ車輪体２６が収容される収容部２２と、他方側にブロック状に形成され調整ねじ２７が収容部２２側に向かって螺合された調整ブロック部２３とが一体に形成されている。
【００１８】
収容部２２には、見込み方向の両端部に車輪体２６を両側で案内するガイド部２２ａが設けられており、車輪体２６はガイド部２２ａと係合しつつ当該ガイド部２２ａの間を移動可能に設けられている。調整ブロック部２３の、収容部２２と反対側には、調整ねじ２７及び調整ねじ２７を操作するためのドライバーが挿入される操作孔２３ａが設けられている。この操作孔２３ａから挿入されたドライバーにより調整ねじ２７が回動される操作がなされると、車輪体２６が調整ねじ２７に押されて移動し、車輪２５の上下方向の位置が変化するように構成されている。
【００１９】
取付部材３０は、図２に示すように、戸車２０の上面を覆う上面部３１と、上面部３１の見付け方向における両端部から垂設され収容部２２側端の側壁２２ｂを覆う収容部側垂設壁部３２と調整ブロック部２３側の側壁２３ｂを覆う調整ブロック部側垂設壁部３３とを有している。すなわち、収容部側垂設壁部３２と調整ブロック部側垂設壁部３３とは、戸車２０に取り付けられた際に、戸車２０の見付け方向おける両端部にて当該戸車２０を挟むように形成されている。
【００２０】
上面部３１の下面側、すなわち戸車２０が取り付けられる側には、図４に示すように、見付け方向における中央より収容部２２側に偏らせて矩形状の突部３１ａが設けられている。この突部３１ａは、戸車２０が取り付けられた際に、戸車２０のフレーム２１の上面に設けられた矩形状の孔部２１ａに嵌合されている。このため、戸車２０が取付部材３０に対して回動し取付部材３０から外れることを防止する。
【００２１】
また、上面部３１には、調整ブロック部側垂設壁部３３の近傍であって見込み方向の一方側の縁から垂設された垂設片３１ｂが設けられている。垂設片３１ｂも、戸車２０が取り付けられた際に、戸車２０のフレーム２１の側面に設けられた凹部２１ｂに収容される。このため、垂設片３１ｂも、突部３１ａ同様に戸車２０が取付部材３０に対して回動し取付部材３０から外れることを防止する。すなわち、突部３１ａ及び垂設片３１ｂが外れ防止部材の一例に相当する。
【００２２】
収容部側垂設壁部３２と調整ブロック部側垂設壁部３３とには、それぞれ見付け方向における外側にて、収容部側垂設壁部３２及び調整ブロック部側垂設壁部３３と間隔を隔てて対向する板部３２ａ、３３ａを有する係合部３２ｂ、３３ｂが設けられており、収容部側垂設壁部３２と調整ブロック部側垂設壁部３３との下端にて繋がっている。
【００２３】
係合部３２ｂ、３３ｂは、板部３２ａ、３３ａの上端に各々外側に向かって突出し、移動障子７の下框１４と係合するフック部３２ｃ、３３ｃを備えている。係合部３２ｂ、３３ｂは、板部３２ａ、３３ａの下端側にて収容部側垂設壁部３２または調整ブロック部側垂設壁部３３と繋がった部位を支点として収容部側垂設壁部３２側または調整ブロック部側垂設壁部３３側に弾性変形可能に形成されている。
【００２４】
また、収容部側垂設壁部３２または調整ブロック部側垂設壁部３３には、図５に示すように、互いに対向する側に突出させて、突部３１ａ及び垂設片３１ｂとともに戸車２０を保持するための保持部を構成し、特に戸車２０の落下を防止する落下防止部としての鉤部３２ｄ、３３ｄが設けられている。鉤部３２ｄ、３３ｄは見込み方向において互いに異なる側に偏らせて形成されており、戸車２０の調整ブロック部２３側は垂設片３１ｂと反対側に、収容部２２側は垂設片３１ｂと同じ側に設けられている。
【００２５】
また、調整ブロック部側垂設壁部３３には、戸車２０に設けられた調整ねじ２７を操作するドライバーの操作用凹部３３ｅが設けられている。この操作用凹部３３ｅは、取付部材３０を、見込み方向に分割する成形型にて形成するために、見込み方向のいずれか一方に開放された形状をなしている。
【００２６】
そして、戸車２０は、図６に示すように、取付部材３０の収容部側垂設壁部３２と調整ブロック部側垂設壁部３３との間に挟むように、鉤部３２ｄ、３３ｄ側から挿入する。このとき、戸車２０の調整ブロック部２３側が操作用凹部３３ｅ側に位置するように挿入する。そして、戸車２０のフレーム２１の下端に鉤部３２ｄ、３３ｄが位置して戸車２０が取付部材３０に保持されると、上面部３１の下面側に設けられている突部３１ａがフレーム２１の上面に設けられた孔部２１ａに嵌合されて、また、取付部材３０の上面部３１から垂設された垂設片３１ｂが戸車２０のフレーム２１の凹部２１ｂに収容されて、取付部材３０と戸車２０とが回動することが規制される。このように、取付部材３０に嵌合された戸車２０は、鉤部３２ｄ、３３ｄにより取付部材３０から落下することが防止され、また、突部３１ａ及び垂設片３１ｂにより取付部材３０から見込み方向に外れることが防止される。
【００２７】
取付部材３０に取り付けられた戸車２０は、移動障子７の下框１４に見付け方向に沿って設けられ下方に開放された溝部１４ａの底面部１４ｂに形成された収容孔１４ｃに、移動障子７の下方から挿入され、収容部側垂設壁部３２と調整ブロック部側垂設壁部３３とにそれぞれ設けられた係合部３２ｂ、３３ｂが弾性変形しつつ収容孔１４ｃのエッジ１４ｄに係合されることにより移動障子７に取り付けられる。
【００２８】
本実施形態の建具１によれば、戸車２０の取付部材３０が、移動障子７の下框１４と係合する係合部３２ｂ、３３ｂと、戸車２０を保持するための鉤部３２ｄ、３３ｄとを有しているので、取付部材３０を介して戸車２０を移動障子７に容易に取り付けることが可能である。
【００２９】
また、本実施形態の建具１は、戸車２０が取付部材３０を介して下框１４に取り付けられているので、異なる取付部材を用いることにより同一の戸車２０を種類が異なる異種障子にも取り付けることが可能である。例えば、戸車２０を取り付けるべき異種障子の下枠に設けられた収容孔１４ｃが、前述した移動障子７が有する収容孔１４ｃより見付け方向の長さが長い場合には、図７に示すような、係合部３２ｂ、３３ｂ間の間隔が異種障子の収容孔１４ｃに対応した間隔となるように延出部３２ｅが形成された取付部材３６を用いて戸車２０を取り付けることにより、共通の戸車２０を異種障子に取り付けることが可能である。
【００３０】
また、取付部材３０、３６は、保持部として戸車２０が落下することを防止する鉤部３２ｄ、３３ｄと、戸車が見込み方向に外れることを防止する外れ防止部としての突部３１ａ及び垂設片３１ｂと、を有しているので、戸車２０が取付部材３０から落下すること及び外れることを防止して、確実に保持することが可能である。
【００３１】
また、取付部材３０には、当該取付部材３０が取り付けられた状態にて調整ねじ２７を操作することを可能とする操作用凹部３３ｅが設けられているので、戸車２０が取付部材３０に取り付けられた後であっても、調整ねじ２７を操作して車輪２５の位置を調整することが可能である。
【００３２】
また、取付部材３０には、戸車２０を挟むように垂設された収容部側垂設壁部３２と調整ブロック部側垂設壁部３３とに、見込み方向において互いに異なる側に位置させて鉤部３２ｄ、３３ｄが設けられているので、収容部側垂設壁部３２と調整ブロック部側垂設壁部３３とにおいて見込み方向における異なる側にて、確実に戸車２０を保持することが可能である。
【００３３】
ところで、戸車２０が有する車輪２５には、見付け方向の中央にて下枠５ｂに設けられたレール１０ａが当接される。このため、車輪２５の上下方向の位置が調整可能な戸車２０を挟むように取り付けられる取付部材３０の収容部側垂設壁部３２と調整ブロック部側垂設壁部３３とは、レール１０ａに接触しないように形成されていなければならない。このため、収容部側垂設壁部３２と調整ブロック部側垂設壁部３３の見付け方向における中央部には係合部３２ｂ、３３ｂが存在しない方が望ましい。しかしながら、収容部側垂設壁部３２と調整ブロック部側垂設壁部３３の見付け方向における中央部のみ係合部３２ｂ、３３ｂが除かれた構成とすると、単に見込み方向に分割する成形型だけでは取付部材３０を製造することができなくなり単価が高騰する。このため、収容部側垂設壁部３２と調整ブロック部側垂設壁部３３とに設ける係合部３２ｂ、３３ｂをそれぞれ見込み方向における一方側のみとし、収容部側垂設壁部３２と調整ブロック部側垂設壁部３３とで見込み方向の互いに異なる側に設けることにより、戸車２０を確実に保持しつつ、簡単な構造の成形型にて、容易にかつ安価に取付部材３０、３６を製造することを可能としている。
【００３４】
また、戸車２０が保持される側と反対の方向に突出された係合部３２ｂ、３３ｂは、収容部側垂設壁部３２と調整ブロック部側垂設壁部３３の見込み方向における中央部に設けられているので、戸車２０が保持された取付部材３０を、見込み方向においてバランスの良い位置にて係合させて下框１４に取り付けることが可能である。
【００３５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３６】
上記実施形態においては、移動障子７が左右方向に移動可能な片引き窓用の建具１を例に挙げて説明したが、戸車を用いて左右方向に移動可能な障子を有する建具であればよく、例えば２枚の障子が左右方向に移動可能な引き違い窓用の建具であってもよい。
【００３７】
また、上記実施形態においては、取付部材３０が有する係合部３２ｂ、３３ｂを、いずれも弾性変形して下框１４の収容孔１４ｃのエッジ１４ｄと係合する係合部３２ｂ、３３ｂとしたが、図８に示すように、一方の係合部は、弾性変形することなく収容孔１４ｃのエッジ１４ｄと係合するフック部３７であり、他方のみが弾性変形する係合部３２ｂである取付部材３８であっても良い。また、図９に示すように、いずれの係合部３９も水平方向に突出されており、下框１４が有する溝部１４ａの底面部１４ｂに当接されてねじ止めされる形態の取付部材４０であっても良い。さらに、一方の係合部は、弾性変形することなく挿入部のエッジと係合するフック部であり、他方の係合部がねじ止めされる形態であっても構わない。
【図面の簡単な説明】
【００３８】
【図１】本実施形態に係る建具を室内側からみた外観図である。
【図２】下框に設けられた戸車を説明するための図である。
【図３】下框に取り付けられた戸車を見付け方向から見た図である。
【図４】戸車の取付方を説明するための図である。
【図５】下框に取り付けられた戸車を下方から見た図である。
【図６】下框に取付部材を介して取り付けられる戸車を説明するための図である。
【図７】異種障子に用いられる取付部材を示す図である。
【図８】取付部材の第１変形例を示す図である。
【図９】取付部材の第２変形例を示す図である。
【符号の説明】
【００３９】
１  建具、５  枠体、５ｂ  下枠、７  移動障子、１０ａ  レール、１４  下框、
１４ｃ  収容孔、２０  戸車、２１ａ  孔部、２１ｂ  凹部、２３ａ  操作孔、
３０  取付部材、３１  上面部、３１ａ  突部、３１ｂ  垂設片、３２ｂ  係合部、
３２ｃ  フック部、３２ｄ  鉤部、３２ｅ  延出部、３３ｅ  操作用凹部、
３６  取付部材、３８  取付部材、３９  係合部、４０  取付部材
【図１】
2010053657.tif 000003
【図２】
2010053657.tif 000004
【図３】
2010053657.tif 000005
【図４】
2010053657.tif 000006
【図５】
2010053657.tif 000007
【図６】
2010053657.tif 000008
【図７】
2010053657.tif 000009
【図８】
2010053657.tif 000010
【図９】
2010053657.tif 000011